(57)【要約】篩い分けデッキに取り付けるように構成された、摩耗保護開口部を備えた採鉱業および採石業用の篩い分けパネルであって、補強フレーム上に形成された、ここで説明されるような材料からなる篩い分け表面を含み、篩い分け表面は、所望寸法の物質を通すように適切に設計した所望形状の開口部を有し、開口部はここで説明されるような耐摩耗材料からなる壁を有し、この壁は上部および下部に、鉛直線および水平線に沿って切り込まれた複数のスリット（１）を有し、これにより開口部の柔軟性を最大限に確保するとともに、耐摩耗性を確保するパネルを提供する。【選択図】図２
2013517122.tif 000002
【特許請求の範囲】
【請求項１】
篩い分けデッキに取り付けるように構成された、摩耗保護開口部を備える採鉱業および採石業用の篩い分けパネルであって、補強フレーム上に形成された、ここで説明されるような材料からなる篩い分け表面を含み、該篩い分け表面は、所望寸法の物質を通すように適切に設計された所望形状の開口部を有し、該開口部は、ここで説明されるような耐摩耗材料からなる壁を有し、該壁は、該開口部の壁の上部および下部に、鉛直線および水平線に沿って切り込まれた複数のスリットを有し、これにより該開口部の柔軟性を最大限に確保するとともに、耐摩耗性を確保する、篩い分けパネル。
【請求項２】
前記耐摩耗材料が、前記開口部の壁に沿った金属裏当てを含む、請求項１に記載の篩い分けパネル。
【請求項３】
前記耐摩耗材料が、セラミックおよびクリストンのいずれか一方またはその組み合わせを含む、請求項１に記載の篩い分けパネル。
【請求項４】
鉛直線および水平線に沿った前記スリットを有する前記壁が前記開口部の内壁に接着するように構成されて一体弾性ジョイントを形成し、前記開口部がフレアおよび／または階段構造をもつ、請求項１に記載の篩い分けパネル。
【請求項５】
前記スリットは、当該壁の全長またはその一部に沿って配置され、前記壁の裏当てにおけるスリットの長さが可変および／または一定である、請求項４に記載の篩い分けパネル。
【請求項６】
前記開口部を除く前記篩い分け表面が、軟鋼、ステンレス鋼、ゴムおよび／またはポリウレタンのうちのいずれか、またはこれらの組み合わせからなり、鋼鉄補強の有無は問わない、請求項１〜５のいずれか一に記載の篩い分けパネル。
【請求項７】
前記パネルが、加硫素材のゴム／ポリウレタンからなり、該パネルの外縁でその内部に埋め込まれ、該パネルの内部領域を横切って延在する鋼鉄の補強バーを有しており、それによって前記篩い分け表面を支持する、請求項６に記載の篩い分けパネル。
【請求項８】
篩い分けデッキに取り付けるように構成された、摩耗保護開口部を備える採鉱業および採石業用の篩い分けパネルを製造する方法であって、補強フレーム上に形成された、ここで説明されるような材料からなる篩い分け表面を設計するステップを具え、所望寸法の物質を通すように適切に設計した所望形状の開口部を前記篩い分け表面に形成するステップをさらに具え、該開口部の壁はここで説明されるような耐摩耗材料からなり、前記開口部壁の上部および下部に、鉛直線および水平線に沿って切り込まれた複数のスリットを有し、これにより該開口部の柔軟性を最大限に確保するとともに、耐摩耗性を確保する方法。
【請求項９】
前記スリットの切り口が、当該壁の全長に沿うか、またはその一部に沿っており、前記スリットの長さは可変および／または一定であり、鉛直線および水平線に沿った前記スリットを有する前記壁を前記開口部の前記内壁に接着することにより一体弾性ジョイントを形成し、前記開口部をフレアおよび／または階段構造をもつように成形する、請求項８に記載の方法。
【請求項１０】
摩耗保護開口部を備える複数の篩い分けパネルが取り付けられた、採鉱業および採石業用の篩い分けデッキであって、補強フレーム上に形成された、ここで説明されるような材料からなる篩い分け表面を含み、該篩い分け表面は、所望寸法の物質を通すように適切に設計した所望形状の開口部を有し、該開口部はここで説明されるような耐摩耗材料からなる壁を有し、該壁は上部および下部に、切り口が鉛直線および水平線に沿った複数のスリットを有し、これにより該開口部の柔軟性を最大限に確保するとともに、耐摩耗性を確保する、篩い分けデッキ。
【発明の詳細な説明】
【技術分野】
【０００１】
本発明は、概して、採鉱業および採石業にて鉱物を篩い分け／分別、または選別するための篩い分け装置に関し、具体的には耐摩耗開口部を備えた篩い分けパネルに関する。
【背景技術】
【０００２】
鉱業により今日広く使用されている、鉱石篩い分けデッキ用の篩い分けパネルシステムは、初期の篩い分けクロスおよび大きなワイヤの篩い分けフレームに取って代わった。これらの篩い分けパネルは、鋼鉄の補強材を有するゴムか、ポリウレタンのいずれかからなることが知られている。このようなパネルは、熱加硫法または注入成型により製造されることも周知である。パネルはボルト締めにより、篩い分け装置の支持フレームに固定するように構成されている。パネルはピンおよび個別のラグ配設を用いた代替法により、フレームに固定することもできる。
【０００３】
前述の従来既知の篩い分けパネルは、作業中に小粒の鉱石が常時通過するため、開口部壁が激しい摩耗を受ける。この開口部壁の激しい摩滅／摩耗は、開口部の所望形状を非常に急速に損ねることとなり、所望の作業目的における適正が失われてしまう。この分野において、開口部壁に摩耗が起こることは、現在一般的に知られており、この摩耗を低減することにより、開口部の所望形状を十分長い期間保持し、当該篩い分けパネルの機能を損ねることなく、むしろよく機能するようにするために、かなり長い間研究がなされている。しかしながら、この観点において大幅な技術の躍進は未だ達成されていない。
【０００４】
したがって、採鉱業および採石業用の篩い分けパネルの開口部壁に十分な耐摩耗性をもたせ、開口部の所望形状をかなり長い期間保持できるように篩い分けパネルを設計することが長きにわたり要求されていた。
【０００５】
本発明は、先に述べた長年の要求に応える。
【０００６】
特許請求の範囲を含む明細書全てを通じて、「篩い分けパネル」、「篩い分けデッキ」、「採鉱」、「採石」、「鉱物」、「鉱石」、「壁」、「ボタン」、「スリーブ」、「篩い分け装置」、「篩い分けデッキ」、「耐摩耗性」、および「耐摩滅性」の用語は当業者に明らかなように、それぞれの用語において最も広い意味合いに解釈され、ほかの用語により当該技術分野で知られる全ての類似概念も含むものとする。明細書内での言及における制限や限定は、例えあったとしても、単に本発明の例示および理解のためのものである。
【発明の概要】
【発明が解決しようとする課題】
【０００７】
本発明の主な目的は、採鉱業および採石業用の摩耗保護開口部を備える篩い分けパネルであって、篩い分けパネルの開口部壁の摩耗を防止／大幅に低減させてパネルの寿命を延ばすように構成された篩い分けパネルを提供することにある。
【０００８】
本発明のさらなる目的は、開口部形成領域の耐摩耗特性を向上させる一体弾性ジョイントを形成するようにし、摩耗保護開口部を備えた、柔軟で非常に長寿命の篩い分けパネルを提供することにある。
【０００９】
本発明の他の目的は、開口部壁に耐摩耗性の金属ライニング（裏当て）を施し、該開口部の柔軟性を高めると共に、摩耗保護も確実なものとする摩耗保護開口部を備えた篩い分けパネルを提供することにある。
【００１０】
本発明のさらなる目的は、柔軟な開口部壁を有することにより鉱石が開口部を容易に通過するようにし、さらに開口部のフレアリング（口広げ加工）または段差設計により目詰まりを確実に防止する篩い分けパネルを提供することにある。
【００１１】
本発明の別の目的は、篩い分けパネルの開口部壁の摩耗を防止／大幅に低減させてパネルの寿命を延ばすように構成される、採鉱業および採石業用の摩耗保護開口部を備えた篩い分けパネルを製造する方法を提供することにある。
【００１２】
本発明のさらなる目的は、採鉱業および採石業用の篩い分けデッキであって、篩い分けパネルの開口部の壁の摩耗を防止／大幅に低減させてパネルの寿命を延ばすように構成される、採鉱業および採石業用の摩耗保護開口部を備える少なくとも１つの篩い分けパネルが取り付けられた篩い分けデッキを提供することにある。
【００１３】
本発明のさらなる目的は、採鉱業および採石業用の篩い分けデッキであって、篩い分けパネルの開口部壁の摩耗を防止／大幅に低減させてパネルの寿命を延ばすように構成される、採鉱業および採石業用の摩耗保護開口部を備える複数の篩い分けパネルが取り付けられた篩い分けデッキを提供することにある。
【００１４】
前述の課題の達成方法および本発明の他の側面は以下の記載から明らかになるであろうが、この記載は理解のためだけのものであって、本発明を何ら限定するものではない。
【課題を解決するための手段】
【００１５】
したがって、本発明は、篩い分けデッキに取り付けるように構成される、摩耗保護開口部を備えた採鉱業および採石業用の篩い分けパネルであって、補強フレーム上に形成される、ここで説明されるような材料からなる篩い分け表面を含み、篩い分け表面は、所望寸法の物質を通すように適切に設計した所望形状の開口部を有し、開口部はここで説明されるような耐摩耗材料からなる壁を有し、この壁は上部および下部に、鉛直線および水平線に沿って切り込まれた複数のスリットを有し、これにより該開口部の柔軟性を最大限に確保するとともに、耐摩耗性を確保するパネルを提供する。
【００１６】
本発明の篩い分けパネルの好適な実施形態によると、
−前記耐摩耗材料は、開口部の壁に沿った金属裏当てを含む。
−前記耐摩耗材料は、セラミックおよびクリストンのいずれか一方またはその組み合わせを含む。
−前記鉛直線および水平線に沿った前記スリットを有する前記壁が前記開口部の内壁に接着するように構成されて一体弾性ジョイントを形成し、開口部はフレアおよび／または階段構造をもつ。
−前記スリットは当該の壁の全長またはその一部に沿って配置され、壁の裏当てにおけるスリットの長さが可変および／または一定とする。
−前記開口部を除く篩い分け表面は、軟鋼、ステンレス鋼、ゴムおよび／またはポリウレタンのうちのいずれか、またはこれらの組み合わせからなり、鋼鉄補強の有無は問わない。
−前記パネルが、加硫素材のゴム／ポリウレタンからなり、該パネルの外縁でその内部に埋め込まれ、該パネルの内部領域を横切って延在する鋼鉄の補強バーを有しており、それによって篩い分け表面を支持する。
【００１７】
本発明はさらに、篩い分けデッキに取り付けるように構成された、摩耗保護開口部を備える採鉱業および採石業用の篩い分けパネルを製造する方法であって、補強フレーム上に形成される、ここで説明されるような材料からなる篩い分け表面を設計するステップを具え、所望寸法の物質を通すように適切に設計した所望形状の開口部を篩い分け表面に形成するステップをさらに具え、開口部の壁はここで説明されるような耐摩耗材料からなり、開口部壁の上部および下部に、切り口が鉛直線および水平線に沿った複数のスリットを設け、これにより該開口部の柔軟性を最大限に確保するとともに、耐摩耗性を確保する方法を提供する。
【００１８】
本発明の篩い分けパネルを製造する方法の好適な実施形態によると、
−前記スリットの切り口が、当該の壁の全長に沿うか、またはその一部に沿っており、前記スリットの長さは可変および／または一定であり、鉛直線および水平線に沿った前記スリットを有する前記壁を前記開口部の前記内壁に接着することにより一体弾性ジョイントを形成し、前記開口部をフレアおよび／または階段構造をもつように成形する。
【００１９】
さらに、本発明は、摩耗保護開口部を備える複数の篩い分けパネルが取り付けられた、採鉱業および採石業用の篩い分けデッキであって、補強フレーム上に形成された、ここで説明されるような材料からなる篩い分け表面を含み、篩い分け表面は、所望寸法の物質を通すように適切に設計した所望形状の開口部を有し、該開口部はここで説明されるような耐摩耗材料からなる壁を有し、この壁は上部および下部に、切り口が鉛直線および水平線に沿った複数のスリットを有し、これにより該開口部の柔軟性を最大限に確保するとともに、耐摩耗性を確保する、篩い分けデッキを提供する。
【００２０】
本発明の本質および範囲は、添付図面からより良く理解されるであろうが、これらの図面はいくつかの好適な実施形態を例示したものであって、何らの限定を加えるものではない。
【図面の簡単な説明】
【００２１】
【図１】本発明の好適な実施形態による篩い分けパネルの平面図である。
【図２】本発明の別の好適な実施形態による篩い分けパネルの平面図である。
【図３】図１の篩い分けパネルの線Ａ‐Ａに沿った側断面図である。
【図４】図３のＸで示された部分の拡大図である。
【図５】図２に示した篩い分けパネルの線Ａ‐Ａに沿った断面図である。
【図６】図５に示した断面図の一部の拡大図である。
【発明を実施するための形態】
【００２２】
以下、本発明のいくつかの好適な実施形態を記載するが、この記載は純粋に発明の実施を理解するためのものであって、何らの限定を加えるものではない。
【００２３】
本発明は摩耗保護開口部を備えた採鉱業および採石業用の篩い分けパネルを提供することを目的とする。これにより、確実に開口部壁の摩耗を防止／大幅に低減し、パネルの寿命を延ばすことができる。本発明による篩い分けパネルは、［背景技術］の節で記述したとおり、当技術分野で周知の篩い分けパネルの欠点を解消／大幅に低減させる。本発明は、篩い分けパネルの開口部壁の摩耗を減じることに焦点を当て、開口部の所望形状をかなり長い時間保持し得るようにするとともに開口部の柔軟性を確保することにより鉱石が目詰まりすることなく容易に開口部を通るようにする。確実にこれを達成するため、開口部はフレア（ラッパ状端部）および／または階段構造をもつように成形することが好ましい。
【００２４】
篩い分けパネルは、採鉱業および採石業において鉱物を篩い分け／分別、または選別するための篩い分けデッキに取り付けられる。正確には、本発明は、篩い分けデッキに取り付けるように構成された柔軟な鉱石篩い分け用のパネルを提供するものであって、該篩い分けデッキは、補強フレームの上に一体形成される篩い分け表面を含む。このような篩い分けパネルは、従来想定されていない耐摩耗材料からできている開口部を有し、これは摩耗に対する耐性を高め、その結果開口部の所望の形状を十分に長い時間保持することができる。これはさらに、所望の粒径範囲の物質を篩い分けする機能を果たす篩い分けパネルの寿命を長くすることができる。開口部の形状が、開口部を通過できるように設定される所望の粒径範囲の要件に従って選択されることは、当業者に明らかであろう。したがって、開口部形状のいかなるゆがみも、篩い分けパネル全体がそのような機能を果たす効果を損ねる。本発明により驚くほどに改善されるこの態様は、これまで当業界では着想されなかった。開口部壁は篩い分けパネルの篩い分け表面の他の部分とは異なる耐摩耗性の材料で構成される。
【００２５】
本発明の主目的および他の目的を達成するために、本発明による鉱石篩い分け用の篩い分けパネル／装置は、開口部において金属壁と結合したゴム／ポリウレタン製の篩い分け表面を備え、ゴム／ポリウレタンの柔軟性と金属面の堅牢性との双方をもたらす。ゴム／ポリウレタンは、篩い分け表面に接触する物質の衝撃を吸収するのに役立一方で、金属壁は開口部の摩滅を防ぐことができる。したがって、本発明は完全かつ凝集性の共鳴効果（cohesive resonance effect）を推奨し、それにより摩滅が低減することにより、開口部の所望形状かなり長い時間維持されるだけでなく、パネルの柔軟性が確保されることにより、所望寸法の物質が開口部を通過できるようになる。さらに、開口部壁に設けられる金属壁は、柔軟性をさらに増し、それにより鉱石を目詰まりなく容易に通すことができる。これを確実にするため、開口部はフレアおよび／または階段構造をもつように成形することが好ましい。
【００２６】
好ましくは、本発明による篩い分けパネルにおける篩い分け表面の開口部以外の部分は、軟鋼、ステンレス鋼、ゴムおよび／またはポリウレタンのいずれか１つ、またはこれらの組み合わせで構成し、鋼鉄補強の有無は問わない。
【００２７】
図１は、本発明の篩い分けパネルの好適な実施形態の篩い分け表面の平面図を示し、好適な実施形態による開口部の金属壁を示している。添付図面の図１は、上部および下部に、切り口が鉛直線に沿った複数のスリット（１）を有する金属壁を示す。添付図面の図２は、上部及び下部における切り口が、垂直および水平線に沿ったスリットを示す。これらの特徴により、摩耗保護の効果のほかに、開口部に最大限の柔軟性が与えられる。スリットは当該壁の全長に沿った切り口、またはその一部に沿った切り口をもつ。スリットの長さは可変および／または一定とすることができる。
【００２８】
添付図面の図３は、添付図面の図１に示した篩い分けパネルの線Ａ‐Ａに沿った側断面図であり、金属保護壁（２）を示す。添付図面の図４は添付図面の図３のＸの印をつけた部分の拡大図であり、フレアおよび階段構造をもつ金属保護開口部壁（２’）を示す。前述の通り、添付図面の図４に示した開口部は、フレア／階段構造をもつように成形することにより、柔軟性を増すとともに、いかなる目詰まりを起こすこともなく、鉱石が容易に通過できるようにする。添付図面の図５および図６は本発明による篩い分けパネルの断面図を示し、本発明の金属保護開口部壁（２）の構成を示す。添付図面の図５は、添付図面の図２の線Ａ‐Ａの断面図を示す。添付図面の図６は、階段状の開口部内の金属保護壁（２’）および開口部の段差（３）要素を詳細に示す。この図は添付図面の図５の一部の拡大図である。
【００２９】
このパネルは熱加硫処理した素材のゴム／ポリウレタンで構成し、該パネルの外縁でその内部に埋め込まれ、該パネルの内部領域を横切って延在する鋼鉄の補強バーを有しており、それによって前記篩い分け表面を支持することが好ましい。このような配置では、小粒の鉱石を篩い分けするのに用いられる開口部を、図３〜図６に示されるように金属壁（２、２’）で裏当てする。添付図面の図１および図２に示すように、また前述したように、金属壁は上部および下部に、切り口が鉛直線および水平線に沿った複数のスリット（１）を有し、これにより摩耗保護の効果のほかに、開口部に最大限の柔軟性が与えられる。スリットは当該壁の全長に沿った切り口またはその一部に沿った切り口をもち、スリットの長さは可変または一定であってもよい。垂直および水平線に沿ったいくつかのスリットを備えた金属保護壁を開口部の内壁に接着し、一体弾性ジョイントを形成する。添付図面の図４および図６に示すように、開口部はフレアおよび／または階段構造をもつように成形することが好ましい。これらの特徴により同時に、開口部形成領域の耐摩耗特性を向上させるとともに柔軟性を確保し、鉱石が目詰まりすることなく容易に開口部を通るようにする。
【００３０】
上記文脈では、開口部の耐摩耗壁が金属として説明され記述されているが、これは単なる例示と本発明の理解のためであって、限定するためではないことを明らかにしておく。壁はセラミック、クリストンなどのような他の耐摩耗材料、または他の高耐摩耗材料で作ることもできることは、当業者に理解されるであろう。これらの材料は開口部壁に沿って、任意の長さで用いることができる。これらのプレートの厚さは開口部の大きさに対応していれば何でもよい。本発明は、その主要目的ならびに他の目的の達成にあたり、このような耐摩滅／摩耗材料のいずれかを個別に適用する場合にも、組み合わせで適用する場合にも同等の効果がある。
【００３１】
本発明による、摩耗保護開口部を備えた篩い分けパネルを製造する方法は、補強フレーム上に形成された、本明細書で説明されたような材料からなる篩い分け表面を設計するステップを含む。この方法はさらに、所望寸法の物質を通すように適切に設計した所望形状の開口部を篩い分け表面に形成するステップを含む。開口部の壁は本明細書で説明されたような耐摩耗材料からなる。開口部壁の上部および下部に、切り口が鉛直線および水平線に沿った複数のスリットを設け、これにより該開口部の柔軟性を最大限に確保するとともに、耐摩耗性を確保する。好ましくは、スリットが当該の壁の全長に沿うか、またはその一部に沿って切り込まれ、スリットの長さは可変および／または一定とする。さらに、鉛直線および水平線に沿ったスリットを備えた壁を開口部の内壁に接着することにより一体弾性ジョイントを形成し、開口部はフレアおよび／または階段構造をもつように成形することが好ましい。
【００３２】
本発明は、業界の求めに応じて、あらゆる所望形状の開口部に適用できる。パネルは様々な大きさ、すなわち、規格型（３０５ｍｍ×３０５ｍｍおよび６１０ｍｍ×３００ｍｍ）やさらに大型にすることもできる。規格型の場合には、篩い分けデッキに取り付けるために、ボタン式およびピン・スリーブ式のようなスナップ式固定具を設ければよい。
【００３３】
本発明を、いくつかの図面と好適な実施形態を参照して説明したが、あくまで本発明の理解のためであって、本発明を限定するためではなく、本発明は、これまで説明した範囲および添付の特許請求の範囲で主張された範囲における、あらゆる妥当な展開を含むものである。
【図１】
2013517122.tif 000003
【図２】
2013517122.tif 000004
【図３】
2013517122.tif 000005
【図５】
2013517122.tif 000006
【図６】
2013517122.tif 000007
【国際調査報告】
2013517122.tif 000008
2013517122.tif 000009